(57)【要約】【課題】多種多様のサイズやデザインのパソコン本体に対して、バンドが掛けられるようにした、携帯型パソコンの運搬・保護用カバーを提供する。【解決手段】正面板（３）と、背面板（５）と、接続板（６）と、開閉部（７）と、前記正面板（３）・前記背面板（５）・前記接続板（６）のうち少なくとも１つとパソコン本体・パソコンディスプレーのうち少なくとも１つを固定するバンド（８）からなる携帯型パソコンの運搬・保護用カバーである。前記正面板（３）・前記背面板（５）・前記接続板（６）のうち少なくとも１つは複数の穴（３１）を有し、前記バンド（８）は端部にストッパ（８１）を有する弾性紐（８２）である。【選択図】図１
2010246749.tif 000002
【特許請求の範囲】
【請求項１】
パソコン本体（２）底面と接する正面板（３）と、パソコンディスプレー（４）背面と接する背面板（５）と、前記正面板（３）と前記背面板（５）を接続する接続板（６）と、前記正面板（３）と前記背面板（５）を開閉する開閉部（７）と、前記正面板（３）・前記背面板（５）・前記接続板（６）のうち少なくとも１つとパソコン本体・パソコンディスプレーのうち少なくとも１つを固定するバンド（８）からなる携帯型パソコンの運搬・保護用カバーにおいて、
前記正面板（３）・前記背面板（５）・前記接続板（６）のうち少なくとも１つは複数の穴（３１）を有し、
前記バンド（８）は端部にストッパ（８１）を有する弾性紐（８２）である
ことを特徴とする携帯型パソコンの運搬・保護用カバー。
【請求項２】
前記穴（３１）が少なくとも３個設けられている請求項１記載の運搬・保護用カバー。
【請求項３】
キーボード保護シート（９）をさらに有し、
前記キーボード保護シート（９）は、四隅に、前記背面板（５）の前記穴（３１）と連結可能なバンド（８Ａ）を有しており、
前記バンド（８Ａ）は端部にストッパ（８１Ａ）を有する弾性紐（８２Ａ）である
ことを特徴とする請求項１又は２記載の運搬・保護用カバー。
【請求項４】
部品収納ポケット（５１，５１Ａ）を正面板（５）に取り付けた請求項１〜３のいずれかに記載の運搬・保護用カバー。
【請求項５】
部品収納ケース（７１）を開閉部（７）に取り付けた請求項１〜４のいずれかに記載の運搬・保護用カバー。
【発明の詳細な説明】
【技術分野】
【０００１】
本発明は、ノート型・ラップトップ型等の携帯型パーソナルコンピュータ（以下、「パソコン」という）の運搬・保護用カバーに関する。
【背景技術】
【０００２】
運搬中及び使用中の衝撃からパソコンを保護するためのカバーはさまざまなものが公知となっている。例えば、実公平７−２２０９４、特開２０００−２１７６２２、特許第３４５１９３９号、等である。
【０００３】
実公平７−２２０９４は、パソコン本体とカバーとを連結するストラップバンドを開示している。特開２０００−２１７６２２と特許第３４５１９３９号は、コーナー部にずり落ち防止具（弾性帯）を設けたカバーを開示している。
【発明の概要】
【発明が解決しようとする課題】
【０００４】
実公平７−２２０９４のバンドは、「ディスプレー部の開閉及びキーボード操作の妨げとならないように」設けられるが、その位置は固定されている。しかし、現在では、多種多様のサイズやデザインのパソコンが提供されており、それらの全てについて、「ディスプレー部の開閉及びキーボード操作の妨げとならないように」バンドをかけるというのは、不可能に近いことである。
【０００５】
本発明は、多種多様のサイズやデザインのパソコン本体に対して、バンドが掛けられるようにした、携帯型パソコンの運搬・保護用カバーを提供することを目的とする。
【課題を解決するための手段】
【０００６】
本発明請求項１は、パソコン本体底面と接する正面板と、パソコンディスプレー背面と接する背面板と、前記正面板と前記背面板を接続する接続板と、前記正面板と前記背面板を開閉する開閉部と、前記正面板・前記背面板・前記接続板のうち少なくとも１つとパソコン本体・パソコンディスプレーのうち少なくとも１つを固定するバンドからなる携帯型パソコンの運搬・保護用カバーにおいて、前記正面板・前記背面板・前記接続板のうち少なくとも１つは複数の穴を有し、前記バンドは端部にストッパを有する弾性紐であることを特徴とする。
【０００７】
本発明請求項２は、請求項１の運搬・保護用カバーであって、前記穴が少なくとも３個設けられているものである。
【０００８】
本発明請求項３は、請求項１又は２の運搬・保護用カバーであって、キーボード保護シートをさらに有し、前記キーボード保護シートは、四隅に、前記背面板の前記穴と連結可能なバンドを有しており、前記バンドは端部にストッパを有する弾性紐であることを特徴とする。
【０００９】
本発明請求項４は、請求項１〜３のいずれかに記載の運搬・保護用カバーであって、部品収納ポケットを正面板に取り付けたものである。
【００１０】
本発明請求項５は、請求項１〜４のいずれかに記載の運搬・保護用カバーであって、部品収納ケースを開閉部に取り付けたものである。
【発明の効果】
【００１１】
本発明請求項１によれば、運搬・保護用カバーを構成する正面板・背面板・接続板のうち少なくとも１つは複数の穴を有し、バンドは、端部にストッパを有する弾性紐である。これら複数の穴から適当なものを選択して、バンドのストッパと係合させることにより、運搬・保護用カバーを多種多様のサイズやデザインのパソコンに着脱自在に固定することができる。
【００１２】
本発明請求項１によれば、穴は少なくとも３個設けられるので、適当なものを選択的に使用することができる。
【００１３】
本発明請求項３によれば、同じ要領で、キーボード保護シートをパソコンに装着することができる。
【００１４】
本発明請求項４によれば部品収納ポケットが、本発明請求項５によれば部品収納ケースが、運搬・保護用カバーに取り付けられるので、利便性がさらに向上する。
【図面の簡単な説明】
【００１５】
【図１】本発明の第１実施例に係る携帯型パソコンの運搬・保護用カバーの斜視図であり、パソコンを二点斜線で示している。
【図２】図２（ａ）はこの運搬・保護用カバーの平面図、図２（ｂ）は底面図、図２（ｃ）は正面図、図２（ｄ）は背面図、図２（ｅ）はバンドの正面図である。
【図３】携帯型パソコンの運搬・保護用カバーの変形例であり、接続板にも穴を設けている。
【図４】携帯型パソコンの運搬・保護用カバーの変形例であり、キーボード保護シートを有する。
【発明を実施するための形態】
【００１６】
以下、添付の図面に基づき、本発明の実施例を説明する。
【実施例１】
【００１７】
図１から分かるように、この運搬・保護用カバー１は、パソコン本体２底面を覆う背面板３と、パソコンディスプレー４背面を覆う正面板５と、正面板・背面板をつなぐと共にパソコン本体の背面を覆う接続板６と、正面板・背面板を開閉するための開閉部７からなる。
【００１８】
少なくとも背面板３と正面板５は、ある程度の衝撃に耐えられる素材で形成される必要がある。接続板６はパソコンの背面を覆う部分であれば足り、図示のように正面板５や背面板３から独立した１要素になっている必要はなく、背面板３と正面板５から連続する部分でもよい。開閉部７は図示のもの（図２（ａ）参照）では挿入片７２とその挿入片の収納部７３からなるが、その他、ファスナなどを使用してもよい。
【００１９】
図２（ａ）の平面図では、主として正面板５と開閉部７が見えている。図２（ｂ）の底面図では、主として背面板３が見えている。図２（ｃ）の正面図では、主として開閉部７が見えている。図２（ｄ）の背面図では、主として接続板６が見えている。
【００２０】
図２（ｂ）に示すように、背面板３には複数の穴３１が設けられている。この図では、左右上部に６個ずつ、左右下部に４個ずつ、位置をずらして２列に配置されている。穴はハトメで補強しておくことが望ましい。
【００２１】
この穴３１を使用して、図１に示すように、バンド８を少なくとも１本（図面では２本）平行に掛ける。バンド８としては、図２（ｅ）に示すような、両端部にストッパ８１を有するゴム紐８２（以下、「バーブドゴム」という）を使用する。掛け方は、ストッパ８１を穴３１に通した後、ストッパ８１を穴に対して水平にして蓋をするようにして固定する。外すときはストッパ８１を穴に対して垂直にして穴３１を通過させる。
【００２２】
バーブドゴムは本体がゴム紐なので、伸縮が可能であり、それ自体ある程度の長さ調節が可能である。さらに、背面板３には穴３１が複数個用意されているので、パソコンの大きさやデザインに応じて、適当な穴を選択することにより、キーボード操作の妨げとならないようにバンドをかけることができる。
【００２３】
さらにこのバーブドゴムを使用して、キーボード保護シート９を取り付けることもできる。キーボード保護シート９は、ほこりやゴミ、こぼした飲料等からキーボードを保護するものである。
【００２４】
キーボード保護シート９を取り付けるには、図４に示すように、キーボード保護シート９の四隅に、１端部にストッパ８１Ａを有するバーブドゴムを取り付ける。ゴム紐８２Ａは１本でもよいが、強度を持たせるため、図示のようにリング状にして使用するのが好ましい。キーボード保護シートの四隅も補強シート９１で補強しておくことが好ましい。符号９２は、ポインタ操作板を露出させるための開口である。
【００２５】
このキーボード保護シート９の四隅のバーブドゴム８２Ａを、ストッパ８１Ａを利用して背面板３の穴３１に固定することは前記と同様である。
【００２６】
なお、図３，４において、符号５１，５１Ａはポケットであり、ＵＳＢ通信カード等を収容することができる。図１，３，４において、符号７１は着脱自在な収納ケースであり、ＵＳＢメモリー等を収納することができる。
【００２７】
この実施例では、バーブドゴムを固定する穴３１は、図１では、背面板のみに設けているが、図３に示すように、接続板６に設けることもできる。
【００２８】
図示していないが正面板５にもバーブドゴムを固定する穴を設けることができる。正面板に穴を設けたときには、ディスプレーの背面にカバーを固着させることができる。
【符号の説明】
【００２９】
１     運搬・保護用カバー
２     パソコン本体
３     背面板
３１   穴
４     パソコンディスプレー
５     正面板
５１    ポケット
６     接続板
７     開閉部
７１  収納ケース
８     バンド（バーブドゴム）
８１，８１Ａ  ストッパ
８２，８２Ａ  ゴム紐
９     キーボード保護シート
【先行技術文献】
【特許文献】
【００３０】
【特許文献１】実公平７−２２０９４
【特許文献２】特開２０００−２１７６２２
【特許文献３】特許第３４５１９３９号
【図１】
2010246749.tif 000003
【図２】
2010246749.tif 000004
【図３】
2010246749.tif 000005
【図４】
2010246749.tif 000006